(57)【要約】【課題】  ラジアルリードコンデンサを提供する。【解決手段】  ラジアルリードコンデンサ１は、コンデンサユニット１０とリード部１２を有している。コンデンサユニット１０は、第１の側面１０ａと、第２の側面１０ｂと、第３の側面１０ｃとを有している。第２の側面１０ｂと第３の側面１０ｃとは対向しており、第２の側面１０ｂ及び第３の側面１０ｃには、電極１１１ａ及び１１１ｂがそれぞれ形成されている。リード部１２は、基板と接続される接続部１２２と、接続部１２２と接続され複数の電極１１１と電気的に共通に接続される狭持部１２１とを有しており、一対の狭持部１２１によりコンデンサユニット１０は狭持されている。リード部１２は、更に、第１の側面１０ａを保持する保持部１２３を有している。【選択図】図１
2007194285.tif 000002
【特許請求の範囲】
【請求項１】
第１の側面と、該第１の側面の一辺から延びる第２の側面と、該第１の側面の一辺と対向する他の辺から延び該第２の側面と対向する第３の側面とを有し、該第２の側面に第１の電極が形成され、該第３の側面に第２の電極が形成された複数のチップコンデンサと、
基板と接続される第１の接続部と、該第１の接続部と接続され該複数の第１の電極と電気的に共通に接続される第１の狭持部と、該基板と接続される第２の接続部と、該第２の接続部と接続され該複数の第２の電極と電気的に共通に接続される第２の狭持部とを有するリード部と、を備え、
該第１の狭持部と該第２の狭持部により該複数のチップコンデンサを狭持するラジアルリードコンデンサであって、
該リード部は、更に、該第１の狭持部または該第２の狭持部のうちの少なくとも一方に設けられ該第１の側面を保持する保持部を有することを特徴とするラジアルリードコンデンサ。
【請求項２】
該リード部は、線材からなることを特徴とする請求項１に記載のラジアルリードコンデンサ。
【請求項３】
該保持部は、該第１の狭持部から突出する第１の保持部と該第２の狭持部から突出する第２の保持部とを有し、該第１の接続部と該第１の保持部とは一体的に形成されて平板形状を有し、該第１の狭持部は平板形状を有し、該第２の接続部と該第２の保持部とは一体的に形成されて平板形状を有し、該第２の狭持部は平板形状を有することを特徴とする請求項１に記載のラジアルリードコンデンサ。
【請求項４】
該保持部は、該第１の狭持部に設けられた第１の保持部と該第２の狭持部に設けられた第２の保持部とを有し、該複数のチップコンデンサは第１番目のチップコンデンサから第Ｎ番目のチップコンデンサを有し、該第１の接続部及び該第２の接続部側を先頭として該第１番目のチップコンデンサから該第Ｎ番目のチップコンデンサまで順に配置されており、該第１の狭持部及び該第２の狭持部はそれぞれ該第１のチップコンデンサの先端から該第Ｎ番目のチップコンデンサの後端まで延び、該後端において該第１の保持部及び該第２の保持部とそれぞれ接続されていることを特徴とする請求項１又は２に記載のラジアルリードコンデンサ。
【請求項５】
該リード部は、該第１の狭持部及び該第２の狭持部を該第１の電極及び該第２の電極の所定の位置にそれぞれ正確に接続するための位置決め部を有していることを特徴とする請求項１から３のいずれか一項に記載のラジアルリードコンデンサ。
【発明の詳細な説明】
【技術分野】
【０００１】
本発明は、複数の積層チップコンデンサと２本のリードから構成されるラジアルリードコンデンサに関する。
【背景技術】
【０００２】
複数の積層チップコンデンサからラジアルリードコンデンサを製造する際には、複数の積層チップコンデンサの電極を２本のリードで同時に挟んだ状態ではんだ層に浸すことにより製造される。しかしながら、積層チップコンデンサは、２本のリードによって挟まれているだけなので、はんだ層に浸す際にその狭持している方向以外の力が加わった場合には、積層チップコンデンサとリードとの位置関係が所定の位置からずれてしまうことがある。
【０００３】
このような問題を解決するために、複数の積層チップコンデンサの電極を２本のリードで同時に挟んだ状態で、リフロー炉に通すことによりラジアルリードコンデンサを製造する方法が提案されている（例えば、特許文献１参照）。
【特許文献１】特開２００５−７２１１１号公報
【発明の開示】
【発明が解決しようとする課題】
【０００４】
しかしながら、リフローによるはんだ付けはコストがかかる。そこで、本発明は、はんだ付けの際の積層チップコンデンサとリードとの位置ずれを防止しつつ、低コストで製造することができるラジアルリードコンデンサを提供することを目的とする。
【課題を解決するための手段】
【０００５】
上記目的を達成するために、本発明は、第１の側面と、第１の側面の一辺から延びる第２の側面と、第１の側面の一辺と対向する他の辺から延び第２の側面と対向する第３の側面とを有し、第２の側面に第１の電極が形成され、第３の側面に第２の電極が形成された複数のチップコンデンサと、基板と接続される第１の接続部と、第１の接続部と接続され複数の第１の電極と電気的に共通に接続される第１の狭持部と、基板と接続される第２の接続部と、第２の接続部と接続され複数の第２の電極と電気的に共通に接続される第２の狭持部とを有するリード部と、を備え、第１の狭持部と第２の狭持部により複数のチップコンデンサを狭持するラジアルリードコンデンサであって、リード部は、更に、第１の狭持部または第２の狭持部のうちの少なくとも一方に設けられ第１の側面を保持する保持部を有することを特徴とするラジアルリードコンデンサを提供している。
【０００６】
このような構成によれば、複数のチップコンデンサは、第１の狭持部と第２の狭持部によって第２の側面及び第３の側面が狭持される他に、保持部によって第１の側面も保持される。これにより、複数のチップコンデンサとリード部との位置関係のずれ、特に、第１の側面と垂直な方向に位置ずれが生じるのを防止することができる。
【０００７】
なお、保持部は、第１の狭持部及び第２の狭持部の両方に設けられても良い。その場合、両方の保持部が第１の側面を保持しても良いし、また、一方の保持部が第１の側面を保持し、他方の保持部が第１の側面と対向する第４の側面を保持しても良い。
【０００８】
また、リード部は、線材からなるのが好ましい。このような構成によれば、リード部を折り曲げるだけで保持部を形成することができる。
【０００９】
また、保持部は、第１の狭持部から突出する第１の保持部と第２の狭持部から突出する第２の保持部とを有し、第１の接続部と第１の保持部とは一体的に形成されて平板形状を有し、第１の狭持部は平板形状を有し、第２の接続部と第２の保持部とは一体的に形成されて平板形状を有し、第２の狭持部は平板形状を有するのが好ましい。
【００１０】
このような構成によれば、それぞれ平板形状の第１の狭持部、第２の狭持部、第１の保持部、第２の保持部上に複数のチップコンデンサを載置するため、より確実に保持することができる。
【００１１】
また、保持部は、第１の狭持部に設けられた第１の保持部と第２の狭持部に設けられた第２の保持部とを有し、複数のチップコンデンサは第１番目のチップコンデンサから第Ｎ番目のチップコンデンサを有し、第１の接続部及び第２の接続部側を先頭として第１番目のチップコンデンサから第Ｎ番目のチップコンデンサまで順に配置されており、第１の狭持部及び第２の狭持部はそれぞれ第１のチップコンデンサの先端から第Ｎ番目のチップコンデンサの後端まで延び、後端において第１の保持部及び第２の保持部とそれぞれ接続されているのが好ましい。
【００１２】
このような構成によれば、第１の狭持部及び第２の狭持部はそれぞれ第１のチップコンデンサの先端から第Ｎ番目のチップコンデンサの後端まで延びているため、複数のチップコンデンサをより確実に保持することができる。
【００１３】
また、リード部は、第１の狭持部及び第２の狭持部を第１の電極及び第２の電極の所定の位置にそれぞれ正確に接続するための位置決め部を有しているのが好ましい。
【００１４】
このような構成によれば、位置決め部に合わせることで第１の狭持部及び第２の狭持部を第１の電極及び第２の電極の所定の位置にそれぞれ正確に接続することができるので、複数のチップコンデンサとリード部との位置関係がずれるのを防止することができる。
【発明の効果】
【００１５】
本発明のラジアルリードコンデンサによれば、複数のチップコンデンサとリード部との位置関係にずれが生じるのを防止することにより、不良品のラジアルリードコンデンサが製造されるのを防止することができる。
【発明を実施するための最良の形態】
【００１６】
以下、本発明の第１の実施の形態を図１から図４を参照して説明する。ラジアルリードコンデンサ１は、２個のコンデンサ１１と、リード１２とを備えている。各コンデンサ１１は、略直方体形状を有しており、第１の側面１１ａと、第１の側面１１ａと隣接する第２の側面１１ｂと、第１の側面１１ａと隣接し第２の側面１１ｂと対向する第３の側面１１ｃと、第１の側面１１ａ、第２の側面１１ｂ、第３の側面１１ｃのいずれとも隣接する第４の側面１１ｄとを備えている。第２の側面１１ｂ及び第３の側面１１ｃには、第１の電極１１１ａ及び第２の電極１１１ｂがそれぞれ設けられている。
【００１７】
２個のコンデンサ１１は、第４の側面１１ｄが対向するように密着して配置され、コンデンサユニット１０を構成している。以下では、図１のように２個のコンデンサ１１を配置した場合における、各コンデンサ１１の短手方向をＡ方向、高さ方向をＢ方向、長手方向をＣ方向と規定し、矢印の方向を＋とする。また、コンデンサユニット１０の第１の側面１１ａ、第２の側面１１ｂ、第３の側面１１ｃ及び第４の側面１１ｄと対応する面を、それぞれ第１の側面１０ａ、第２の側面１０ｂ、第３の側面１０ｃ及び第４の側面１０ｄと称す。
【００１８】
リード１２は、それぞれ銅線から構成された第１の狭持部１２１ａ及び第２の狭持部１２１ｂと、第１の接続部１２２ａ及び第２の接続部１２２ｂと、第１の保持部１２３ａ及び第２の保持部１２３ｂとを備えている。第１の狭持部１２１ａと第２の狭持部１２１ｂ、第１の接続部１２２ａと第２の接続部１２２ｂ、第１の保持部１２３ａと第２の保持部１２３ｂとは、それぞれ同一の構成であるため、以下では、一方のみについて説明し、他方の説明は省略する。
【００１９】
第１の狭持部１２１ａは、Ａ方向におけるコンデンサユニット１０の第２の側面１０ｂと同一の長さを有しており、第２の側面１０ｂのＢ方向の高さの略中間の位置にＡ方向に沿って、第１の電極１１１ａにはんだ付けされている。第１の狭持部１２１ａの一端には、基板等に接続される第１の接続部１２２ａが接続されており、他端には、コンデンサユニット１０の第１の側面１０ａを保持するための第１の保持部１２３ａが接続されている。
【００２０】
第１の接続部１２２ａは、図３に示すように、略半円形の第１の位置決め部１２２ｃを有している。第１の位置決め部１２２ｃの端部をコンデンサユニット１０の第２の側面１０ｂの端部に合わせることで、リード１２とコンデンサユニット１０とのＡ方向における位置合わせを正確に行うことができる。
【００２１】
第１の保持部１２３ａは、第１の狭持部１２１ａの他端から＋Ｂ方向に延出しており、Ｂ方向におけるコンデンサユニット１０の端部において、コンデンサユニット１０の第４の側面１０ｄに沿うように＋Ｃ方向に折り曲げられている。そして、第１の保持部１２３ａは、更に、Ｃ方向におけるコンデンサユニット１０の幅の中間よりも手前の位置で第１の側面１０ａに沿うように−Ａ方向に折り曲げられている。
【００２２】
同様にして、第２の接続部１２２ｂ及び第２の保持部１２３ｂと接続された第２の狭持部１２１ｂも、第２の電極１１１ｂにはんだ付けされるため、コンデンサユニット１０の第２の側面１０ｂ及び第３の側面１０ｃは、第１の狭持部１２１ａ及び第２の狭持部１２１ｂにより狭持される。同時に、コンデンサユニット１０の第１の側面１０ａも、第１の保持部１２３ａ及び第２の保持部１２３ｂにより保持される。
【００２３】
ここで、ラジアルリードコンデンサは、一対のリードでコンデンサユニットを狭持した状態ではんだ層に浸すことで製造することができるが、単にコンデンサユニットの両側面を一対のリードによって狭持しているだけの場合には、製造の途中で狭持している方向以外の力が加わり、コンデンサユニットと一対のリードとの位置関係が所定の位置からずれてしまう場合がある。
【００２４】
しかしながら、本実施の形態によるラジアルリードコンデンサ１によれば、コンデンサユニット１０は、第１の狭持部１２１ａ及び第２の狭持部１２１ｂにより第２の側面１０ｂ及び第３の側面１０ｃが狭持されると同時に、第１の保持部１２３ａ及び第２の保持部１２３ｂにより第１の側面１０ａも保持される。従って、コンデンサユニット１０とリード１２との位置関係のずれ、特に、Ｂ方向における位置ずれが生じるのを防止することができ、不良品のラジアルリードコンデンサが製造されるのを防止することができる。
【００２５】
次に、本発明の第２の実施の形態を図５から図８を参照して説明する。なお、本実施の形態においては、上記した第１の実施の形態と同一の部分には同一の符号を付して、その説明を省略する。
本実施の形態のラジアルリードコンデンサ２は、第１の実施の形態におけるリード１２の代わりにリード２２を備えており、リード２２は、第１の狭持部１２１ａ及び第２の狭持部１２１ｂの代わりに第１の狭持部２２１ａ及び第２の狭持部２２１ｂを、第１の保持部１２３ａ及び第２の保持部１２３ｂの代わりに第１の保持部２２３ａ及び第２の保持部２２３ｂを備えている。第１の狭持部２２１ａと第２の狭持部２２１ｂ、第１の保持部２２３ａと第２の保持部２２３ｂとは、それぞれ同一の構成であるため、以下では、一方のみについて説明し、他方の説明は省略する。
【００２６】
第１の狭持部２２１ａは、Ａ方向においてコンデンサユニット１０の第２の側面１０ｂを超える長さを有しており、コンデンサユニット１０のＢ方向の高さの略中間の位置にＡ方向に沿って、第１の電極１１１ａにはんだ付けされている。第１の狭持部２２１ａの一端には、第１の接続部１２２ａが接続されており、他端には、第１の保持部２２３ａが接続されている。
【００２７】
第１の保持部２２３ａは、第１の狭持部２２１ａの他端からコンデンサユニット１０の第４の側面１０ｄに沿うように＋Ｃ方向に延出しており、Ｃ方向におけるコンデンサユニット１０の幅の中間よりも手前の位置で＋Ｂ方向に折り曲げられている。そして、第１の保持部２２３ａは、更に、Ｂ方向におけるコンデンサユニット１０の端部において、第１の側面１０ａに沿うように−Ａ方向に折り曲げられている。
【００２８】
同様にして、第２の接続部２２２ｂ及び第２の保持部２２３ｂと接続された第２の狭持部２２１ｂも、第２の電極１１１ｂにはんだ付けされるため、コンデンサユニット１０の第２の側面１０ｂ及び第３の側面１０ｃが、第１の狭持部２２１ａ及び第２の狭持部２２１ｂにより狭持されると同時に、コンデンサユニット１０の第１の側面１０ａ及び第４の側面１０ｄも、第１の保持部２２３ａ及び第１の保持部２２３ａにより保持される。
【００２９】
このような構成により、本実施の形態によるラジアルリードコンデンサ２は、コンデンサユニット１０とリード２２との位置関係のずれ、特に、Ａ方向及びＢ方向における位置ずれを防止することができるので、不良品のラジアルリードコンデンサが製造されるのをより確実に防止することができる。
【００３０】
次に、本発明の第３の実施の形態を図９から図１２を参照して説明する。なお、本実施の形態においては、上記した第１の実施の形態と同一の部分には同一の符号を付して、その説明を省略する。
【００３１】
本実施の形態のラジアルリードコンデンサ３は、第１の実施の形態におけるリード１２の代わりにリード３２を備えており、リード３２は、第１の狭持部１２１ａ及び第２の狭持部１２１ｂの代わりに第１の狭持部３２１ａ及び第２の狭持部３２１ｂを、第１の保持部１２３ａ及び第２の保持部１２３ｂの代わりに第１の保持部３２３ａ及び第２の保持部３２３ｂを備えている。第１の狭持部３２１ａと第２の狭持部３２１ｂ、第１の保持部３２３ａと第２の保持部３２３ｂとは、それぞれ同一の構成であるため、以下では、一方のみについて説明し、他方の説明は省略する。
【００３２】
第１の狭持部３２１ａは、コンデンサユニット１０の第２の側面１０ｂのＡ方向における長さの４分の３の長さを有しており、第２の側面１０ｂのＢ方向の高さの略中間の位置にＡ方向に沿って、第１の電極１１１ａにはんだ付けされている。第１の狭持部３２１ａの一端には、第１の接続部１２２ａが接続されており、他端には、第１の保持部３２３ａが接続されている。
【００３３】
第１の保持部３２３ａは、第１の狭持部３２１ａの他端から＋Ｂ方向に延出しており、Ｂ方向におけるコンデンサユニット１０の端部において、コンデンサユニット１０の第４の側面１０ｄに沿うように＋Ｃ方向に折り曲げられている。そして、第１の保持部３２３ａは、更に、Ｃ方向におけるコンデンサユニット１０の幅の中間よりも手前の位置で−Ａ方向に折り曲げられている。
【００３４】
同様にして、第２の接続部１２２ｂ及び第２の保持部３２３ｂと接続された第２の狭持部３２１ｂも、第２の電極１１１ｂにはんだ付けされるため、コンデンサユニット１０の第２の側面１０ｂ及び第３の側面１０ｃが、第１の狭持部３２１ａ及び第２の狭持部３２１ｂにより狭持されると同時に、コンデンサユニット１０の第１の側面１０ａも、第１の保持部３２３ａ及び第２の保持部３２３ｂにより保持される。
【００３５】
このように、第１の狭持部３２１ａ及び第２の狭持部３２１ｂは、Ｂ方向から見て、コンデンサユニット１０の第２の側面１０ｂ及び第３の側面１０ｃのＡ方向における長さと同じ長さを有していなくても、コンデンサユニット１０とリード３２との位置関係のずれ、特に、Ｂ方向における位置ずれを防止することができるので、不良品のラジアルリードコンデンサが製造されるのを防止することができる。
【００３６】
次に、本発明の第４の実施の形態を図１３から図１６を参照して説明する。なお、本実施の形態においては、上記した第１の実施の形態と同一の部分には同一の符号を付して、その説明を省略する。
【００３７】
本実施の形態のラジアルリードコンデンサ４は、第１の実施の形態におけるリード１２の代わりにリード４２を備えており、リード４２は、第１の狭持部１２１ａ及び第２の狭持部１２１ｂの代わりに第１の狭持部４２１ａ及び第２の狭持部４２１ｂを、第１の接続部１２１ａ及び第１の保持部１２３ａの代わりに第１の接続・保持部４２２ａを、第２の接続部１２１ｂ及び第２の保持部１２３ｂの代わりに第２の接続・保持部４２２ｂを備えている。第１の狭持部４２１ａ、第２の狭持部４２１ｂ、第１の接続・保持部４２２ａ及び第２の接続・保持部４２２ｂは、第１の実施の形態の狭持部１２１、接続部１２２及び保持部１２３のように線状体ではなく、平板形状を有している。第１の狭持部４２１ａと第２の狭持部４２１ｂ、第１の接続・保持部４２２ａと第２の接続・保持部４２２ｂとは、それぞれ同一の構成であるため、以下では、一方のみについて説明し、他方の説明は省略する。
【００３８】
第１の狭持部４２１ａは、Ａ方向においてコンデンサユニット１０の第２の側面１０ｂを超える長さを有している。また、第１の狭持部４２１ａは、Ｂ方向におけるコンデンサユニット１０の第２の側面１０ｂの高さの略半分の幅を有している。第１の狭持部４２１ａは、コンデンサユニット１０の第２の側面１０ｂのＢ方向の高さの略下半分を覆うように、コンデンサユニット１０の第１の電極１１１ａにはんだ付けされている。第１の接続・保持部４２２ａの平面部には、コンデンサユニット１０の第１の側面１０ａが載置されており、また、Ａ方向から見てＬ字形状を有するように、第１の狭持部４２１ａの下端と接続されている。
【００３９】
同様にして、第２の接続・保持部４２２ｂと接続された第２の狭持部４２１ｂも、第２の電極１１１ｂにはんだ付けされるため、コンデンサユニット１０の第２の側面１０ｂ及び第３の側面１０ｃは、第１の狭持部４２１ａ及び第２の狭持部４２１ｂにより狭持されると同時に、コンデンサユニット１０の第１の側面１０ａも、第１の接続・保持部４２２ａ及び第２の接続・保持部４２２ｂにより保持される。
【００４０】
このような構成により、本実施の形態によるラジアルリードコンデンサ４は、コンデンサユニット１０とリード４２との位置関係のずれ、特に、Ｂ方向における位置ずれをより確実に防止することができるので、不良品のラジアルリードコンデンサが製造されるのをより確実に防止することができる。
【００４１】
尚、本発明のラジアルリードコンデンサは、上記した実施の形態に限定されるものではなく、特許請求の範囲に記載した範囲で種々の変形や改良が可能である。
【００４２】
例えば、図１７に示すラジアルリードコンデンサ５のように、リード５２に凹部５２１を形成し、その凹部５２１にコンデンサユニット１０の第２の側面１０ｂ及び第３の側面１０ｃを係合させても良い。このような構成によれば、コンデンサユニット１０の第２の側面１０ｂ及び第３の側面１０ｃが、凹部５２１により狭持されると同時に、コンデンサユニット１０の第１の側面１０ａ及び第４の側面１０ｄも凹部５２１により保持される。従って、コンデンサユニット１０とリード５２との位置関係のずれ、特に、Ａ方向及びＢ方向における位置ずれを確実に防止することができる。
【００４３】
また、コンデンサ１１は２個に限らず、複数であれば良い。また、位置決め部１２２ｃは、半円形状に限らず、リード１２とコンデンサユニット１０とのＡ方向における位置合わせができる形状なら良い。
【図面の簡単な説明】
【００４４】
【図１】本発明の第１の実施の形態によるラジアルリードコンデンサの斜視図
【図２】本発明の第１の実施の形態によるラジアルリードコンデンサを図１のＡ方向から見た側面図
【図３】本発明の第１の実施の形態によるラジアルリードコンデンサを図１のＢ方向から見た平面図
【図４】本発明の第１の実施の形態によるラジアルリードコンデンサを図１のＣ方向から見た側面図
【図５】本発明の第２の実施の形態によるラジアルリードコンデンサの斜視図
【図６】本発明の第２の実施の形態によるラジアルリードコンデンサを図１のＡ方向から見た側面図
【図７】本発明の第２の実施の形態によるラジアルリードコンデンサを図１のＢ方向から見た平面図
【図８】本発明の第２の実施の形態によるラジアルリードコンデンサを図１のＣ方向から見た側面図
【図９】本発明の第３の実施の形態によるラジアルリードコンデンサの斜視図
【図１０】本発明の第３の実施の形態によるラジアルリードコンデンサを図１のＡ方向から見た側面図
【図１１】本発明の第３の実施の形態によるラジアルリードコンデンサを図１のＢ方向から見た平面図
【図１２】本発明の第３の実施の形態によるラジアルリードコンデンサを図１のＣ方向から見た側面図
【図１３】本発明の第４の実施の形態によるラジアルリードコンデンサの斜視図
【図１４】本発明の第４の実施の形態によるラジアルリードコンデンサを図１のＡ方向から見た側面図
【図１５】本発明の第４の実施の形態によるラジアルリードコンデンサを図１のＢ方向から見た平面図
【図１６】本発明の第４の実施の形態によるラジアルリードコンデンサを図１のＣ方向から見た側面図
【図１７】本発明の他の変更例のラジアルリードコンデンサの斜視図
【符号の説明】
【００４５】
１、２、３、４、５    ラジアルリードコンデンサ
１０ コンデンサユニット
１１ コンデンサ
１１ａ    第１の側面
１１ｂ    第２の側面
１１ｃ    第３の側面
１２、２２、３２、４２、５２    リード
１１１ａ，１１１ｂ 電極
１２１、２２１、３２１、４２１    狭持部
１２２ｃ 位置決め部
１２２、３２２    接続部
１２３、２２３、３２３    保持部
４２２ 接続・保持部
５２１ 凹部
【図１】
2007194285.tif 000003
【図２】
2007194285.tif 000004
【図３】
2007194285.tif 000005
【図４】
2007194285.tif 000006
【図５】
2007194285.tif 000007
【図６】
2007194285.tif 000008
【図７】
2007194285.tif 000009
【図８】
2007194285.tif 000010
【図９】
2007194285.tif 000011
【図１０】
2007194285.tif 000012
【図１１】
2007194285.tif 000013
【図１２】
2007194285.tif 000014
【図１３】
2007194285.tif 000015
【図１４】
2007194285.tif 000016
【図１５】
2007194285.tif 000017
【図１６】
2007194285.tif 000018
【図１７】
2007194285.tif 000019